(57)【要約】【課題】プラント機器を監視制御するための監視制御データに対するタグ構造の一部を制御装置以外に割り付け可能なプラント監視制御システムを得る。【解決手段】プラント機器を監視制御する制御装置１及び監視・制御画面２２を表示するＨＭＩ装置２が用いる監視制御データを一括処理するためのタグをエンジニアリング装置３で定義し、エンジニアリング装置３は、監視制御データを保存するためのタグ構造を定義するとともに、この定義されたタグ構造の一部を制御装置１またはＨＭＩ装置２に割付け、制御装置１及びＨＭＩ装置２は、エンジニアリング装置３によって割付けられたタグ構造に該当する監視制御データをそれぞれ保存する制御装置タグメモリ１２及びＨＭＩタグメモリ２４を有するものである。【選択図】図１
2015165353.tif 000002
【特許請求の範囲】
【請求項１】
プラント機器を監視制御する制御装置、
上記プラント機器を監視制御するための監視制御画面を表示するＨＭＩ装置、
及び上記制御装置及び上記ＨＭＩ装置による監視制御の対象とする上記プラント機器ごとに、当該プラント機器の監視制御データに対するタグ及び上記監視制御データを保存するための上記タグのデータ構造であるタグ構造を定義するエンジニアリング装置を備え、
上記エンジニアリング装置は、上記監視制御データを分散保存するために上記タグ構造の一部を上記制御装置または上記ＨＭＩ装置に割付け、
上記制御装置及び上記ＨＭＩ装置は、上記エンジニアリング装置によって割付けられたタグ構造の一部に該当する監視制御データをそれぞれ保存するタグメモリを有することを特徴とする監視制御システム。
【請求項２】
上記制御装置のタグメモリは、上記エンジニアリング装置によって割付けられたタグ構造を有することを特徴とする請求項１記載の監視制御システム。
【請求項３】
上記制御装置のタグメモリが、上記エンジニアリング装置によって割付けられたタグ構造を有さない場合に、
上記エンジニアリング装置は、上記制御装置のタグメモリに保存される監視制御データと、上記タグ構造とを紐づけるタグメモリ紐づけデータベースを有することを特徴とする請求項１記載の監視制御システム。
【請求項４】
上記エンジニアリング装置は、上記タグ構造の一部を自エンジニアリング装置に割付けるとともに、
この割付けたタグ構造の一部に該当する監視制御データを保存するタグメモリを有することを特徴とする請求項１から請求項３のいずれか一項記載の監視制御システム。
【請求項５】
上記監視制御データのうちの蓄積・集計対象のデータを蓄積・集計するサーバ装置を備え、
上記エンジニアリング装置は、上記タグ構造の一部を上記サーバ装置に割付けるとともに、
上記サーバ装置は、上記エンジニアリング装置によって割付けられたタグ構造の一部に該当する監視制御データを保存するタグメモリを有することを特徴とする請求項１から請求項３のいずれか一項記載の監視制御システム。
【請求項６】
上記ＨＭＩ装置と同等の機能を有する他のＨＭＩ装置を備え、
上記エンジニアリング装置は、上記ＨＭＩ装置に割付けられる上記タグ構造の一部が、上記ＨＭＩ装置単独か、複数のＨＭＩ装置共通に割付けられるかを定義できることを特徴とする請求項１から請求項５のいずれか一項記載の監視制御システム。
【発明の詳細な説明】
【技術分野】
【０００１】
この発明は、プラントを監視・制御する監視制御システムに関するものである。
【背景技術】
【０００２】
従来のプラント監視制御システムでは、プラント機器を監視・制御するためのデータについて、そのプラント機器の監視・制御の種別によってタグ（ 監視・制御を実行するためのデータ構造）を割り当て、このタグを使って制御ロジックや、監視処理・監視画面を作成することにより、監視制御システムのエンジニアリングを容易にしてきた。（例えば、特許文献１参照）
この従来のタグを用いたプラント監視制御システムは、制御装置、ＨＭＩ（Ｈｕｍａｎ  Ｍａｃｈｉｎｅ  Ｉｎｔｅｒｆａｃｅ）装置、エンジニアリング装置により構成されている。
エンジニアリング装置は、監視専用のプラント機器にはモニタタグを、ＰＩＤ（Ｐｒｏｐｏｒｔｉｏｎａｌ  Ｉｎｔｅｇｒａｌ  ａｎｄ  Ｄｉｆｆｅｒｅｎｔｉａｌ  Ｃｏｎｔｒｏｌ）制御をおこなうプラント機器にはＰＩＤタグなどを割り当てる。
【０００３】
制御装置１内のタグメモリには、エンジニアリング装置で割り当てたモニタタグ、ＰＩＤタグなどを配置し、制御装置Ｓ／Ｗ（ソフトウェア）がこのタグメモリを読み書きしてプラントを監視制御する。
一方、ＨＭＩ装置では、監視制御画面に、モニタタグ、ＰＩＤタグなどを割り当て、ＨＭＩ制御Ｓ／Ｗが、この監視制御画面に割り当てられたタグを、制御装置Ｓ／Ｗと通信して、制御装置のタグメモリのタグ情報を入出力して、プラントの監視制御を実現している。
このように、タグを用いることにより、プラント機器単位で監視・制御に必要なデータが一括して、制御装置のタグメモリとＨＭＩ装置の監視・制御画面に割り当てられるため、タグで取り扱える処理が多いほど、監視制御システムを構築するためのエンジニアリング作業を容易にすることができる。
【先行技術文献】
【特許文献】
【０００４】
【特許文献１】特開２００４−１９９５２８号公報（第５〜６頁、第１図）
【発明の概要】
【発明が解決しようとする課題】
【０００５】
従来のタグを用いたプラント監視制御システムは、以上のように構成されており、決められたタグ構造を制御装置のタグメモリ上に固定して持つため、タグ構造を使った監視制御機能を制御装置のメモリ上で固定的に行う構成にしか適用できないという問題があった。
このように、従来のタグを用いたプラント監視制御システムは、タグ構造を制御装置上のみに持つため、タグ構造を使ってプラント機器のアラーム検出処理をＨＭＩ装置で行う構成を構築できないという問題がある。
また、揮発性のメモリにしかデータを保存しておくことができない制御装置を適用する場合に、タグ構造を制御装置のメモリに保存しておくことができず、札掛け情報など保存が必要なデータをタグに含めたシステムを構築できず、用途や制御装置の機能によって使用できないという問題もあった。
【０００６】
この発明は、上述のような課題を解決するためになされたものであり、プラント機器を監視制御するための監視制御データに対するタグ構造の一部を制御装置以外に割付け可能なプラント監視制御システムを得ることを目的とする。
【課題を解決するための手段】
【０００７】
この発明に係わる監視制御システムにおいては、プラント機器を監視制御する制御装置、プラント機器を監視制御するための監視制御画面を表示するＨＭＩ装置、及び制御装置及びＨＭＩ装置による監視制御の対象とするプラント機器ごとに、当該プラント機器の監視制御データに対するタグ及び監視制御データを保存するためのタグのデータ構造であるタグ構造を定義するエンジニアリング装置を備え、エンジニアリング装置は、監視制御データを分散保存するためにタグ構造の一部を制御装置またはＨＭＩ装置に割付け、制御装置及びＨＭＩ装置は、エンジニアリング装置によって割付けられたタグ構造の一部に該当する監視制御データをそれぞれ保存するタグメモリを有するものである。
【発明の効果】
【０００８】
この発明によれば、プラント機器を監視制御する制御装置、プラント機器を監視制御するための監視制御画面を表示するＨＭＩ装置、及び制御装置及びＨＭＩ装置による監視制御の対象とするプラント機器ごとに、当該プラント機器の監視制御データに対するタグ及び監視制御データを保存するためのタグのデータ構造であるタグ構造を定義するエンジニアリング装置を備え、エンジニアリング装置は、監視制御データを分散保存するためにタグ構造の一部を制御装置またはＨＭＩ装置に割付け、制御装置及びＨＭＩ装置は、エンジニアリング装置によって割付けられたタグ構造の一部に該当する監視制御データをそれぞれ保存するタグメモリを有するので、監視制御データを制御装置及びＨＭＩ装置に分散保存することができる。
【図面の簡単な説明】
【０００９】
【図１】この発明の実施の形態１による監視制御システムを示す構成図である。
【図２】この発明の実施の形態２による監視制御システムを示す構成図である。
【図３】この発明の実施の形態３による監視制御システムを示す構成図である。
【図４】この発明の実施の形態４による監視制御システムを示す構成図である。
【図５】この発明の実施の形態５による監視制御システムを示す構成図である。
【発明を実施するための形態】
【００１０】
実施の形態１．
以下、この発明の実施の形態１を図に基づいて説明する。
図１は、この発明の実施の形態１による監視制御システムを示す構成図である。
図１において、制御装置１は、プラントを監視・制御するための処理を行う。ＨＭＩ装置２は、プラントの監視・制御に必要な情報を画面に表示し、プラントへの制御操作を行う。エンジニアリング装置３は、制御装置１とＨＭＩ装置２がプラント機器の監視・制御を行うため、プラント機器に入出力される監視制御データに対し、監視制御の対象となるプラント機器ごとにタグを割り当てる。すなわち、プラント機器ごとに扱う監視制御データを一括して指定するためのタグを定義し、合わせて、タグごとのデータ構造であるタグ構造を定義する。
制御装置１は、監視制御データを保存する制御装置タグメモリ１２と、制御装置タグメモリ１２に対し、監視制御データを入出力する制御エンジン１１とを持つている。制御装置タグメモリ１２では、制御装置タグメモリ構造１３により監視制御データを保存する。すなわち、制御装置タグメモリ構造１３の構成要素により、例えば、ＭＶに操作値、ＳＶに設定値、ＰＶに計測値などを保存する。
【００１１】
ＨＭＩ装置２は、監視・制御操作を行うための監視・制御画面２２と、この監視・制御画面２２での監視・制御操作に対応する監視制御データを問い合わせる（読み、書きを要求する）監視・制御ＨＭＩエンジン２１と、タグを構成するデータを入出力するタグ制御エンジン２３と、ＨＭＩタグメモリ２４とを持つ。ＨＭＩタグメモリ２４では、ＨＭＩタグメモリ構造２５によりデータを保存する。すなわち、ＨＭＩタグメモリ構造２５の構成要素により、例えば、ＡＬＭにアラームの発生状態、ＩＮＨにアラームの抑止設定、ＣＴＮＯに札掛け番号などを保存する。
エンジニアリング装置３は、複数のタグ構造の詳細を定義するタグ構造定義３１と、タグを定義するタグ定義３４とを持つ。タグ構造定義３１は、タグ構造Ａ、タグ構造Ｂなどの複数のタグ構造３２の詳細を定義し、タグ構造ＤＢ（データベース）３３に保存する。また、タグ定義３４は、タグを定義して、タグＤＢ３５に保存するようになっている。
【００１２】
次に、動作について説明する。
エンジニアリング装置３のタグ構造定義３１を用いて、タグ構造Ａ、タグ構造Ｂなどの複数のタグ構造３２の詳細を定義する。この中で、タグ構造の要素ごとに、制御装置１の制御装置タグメモリ１２の制御装置タグメモリ構造１３に属するか、ＨＭＩ装置２のＨＭＩタグメモリ２４のＨＭＩタグメモリ構造２５に属するかを設定する。そして、定義したタグ構造３２をタグ構造ＤＢ３３に保存する。
タグ構造３２には、例えば、タグ構造Ａとして、タグ構成要素ＭＶ／ＳＶ／ＰＶは制御装置１に属し、タグ構成要素ＡＬＭ／ＩＮＨ／ＣＴＮＯは、ＨＭＩ装置２に属すると設定する。
エンジニアリング装置３のタグ定義３４では、監視制御対象のプラント機器ごとに設定するタグごとに、タグ構造定義３１で作成したタグ構造３２のいずれかを割り当て、タグＤＢ３５に保存する。例えば、ある機器を監視・制御するタグ１に対してタグ構造Ａを割り当てる。
【００１３】
ＨＭＩ装置２の監視・制御画面２２には、エンジニアリング装置３のタグ定義３４で設定したタグをタグＤＢ３５から参照して割付けられている。監視・制御ＨＭＩエンジン２１は、監視・制御画面２２での監視・制御操作に対応する監視制御データを、タグＤＢ３５のデータに基づいて、タグ制御エンジン２３に問い合わせる（読み、書きの要求を行う）。
ＨＭＩ装置２のタグ制御エンジン２３は、問い合わせを受けた監視制御データを、タグ構造ＤＢ３３の情報から、制御装置１のデータ（監視制御データ）と、ＨＭＩタグメモリ２４のデータとへ振り分けて、制御装置１のデータは、制御装置１の制御エンジン１１との間で入出力し、ＨＭＩタグメモリ２４のデータは、ＨＭＩ装置２で処理してデータを返す。
制御装置１の制御エンジン１１は、ＨＭＩ装置２のタグ制御エンジン２３からの監視制御データ要求（読み、書きのいずれか）に応じて、制御装置タグメモリ１２に対してデータを入出力して、結果をＨＭＩ装置２のタグ制御エンジン２３に返すようになっている。
【００１４】
実施の形態１によれば、監視制御データについて、制御装置で保存して処理するか、ＨＭＩ装置に持つて処理するかを、タグ構造で定義することが可能である。
すなわち、システムの適用用途やニーズによって、制御装置で行う処理と、ＨＭＩ装置で行う処理を変更する場合や、制御装置で実施困難な処理をＨＭＩ装置で行うことをタグ構造で設定することが可能である。
このように、タグを用いて一括して設定できる処理が拡大できることにより、監視制御システム構築や設定変更を容易化できる。
例えば、アラーム処理は、システムの用途やニーズによって制御装置で行うケースと、ＨＭＩ装置で行うケースとがあるが、その両方の方式に対応することができる。
また、アラームの抑止情報や札掛け情報は、保存しておく必要があり、揮発メモリを用いる制御装置には保存できないものの、これらをＨＭＩ装置上に保存することの設定を可能することにより、タグ構造で対応可能にすることができる。
【００１５】
実施の形態２．
図２は、この発明の実施の形態２による監視制御システムを示す構成図である。
図２において、１〜３、２１〜２５、３１〜３５は図１におけるものと同一のものである。図２では、制御装置１に、タグ構造を持たずに、監視制御データを保存する制御装置タグメモリ１５を設け、制御エンジン１４で監視制御データを入出力する。エンジニアリング装置３には、制御装置タグメモリ１５とタグＤＢ３５との紐づけ情報を保存したタグメモリ紐づけＤＢ３６を設ける。
【００１６】
実施の形態１では、タグ構造の構成要素を、制御装置１とＨＭＩ装置２のタグ構造に分けて定義したが、実施の形態２は、図２に示すように、制御装置１は、タグ構造を持たずに、監視制御データを保持する制御装置タグメモリ１５をもち、エンジニアリング装置３のタグ定義３４が、タグ構造３２の情報を元に、制御装置タグメモリ１５とタグＤＢ３５との紐づけ情報を保存したタグメモリ紐づけＤＢ３６を生成する。
【００１７】
ＨＭＩ装置２のタグ制御エンジン２３は、監視・制御ＨＭＩエンジン２１から監視制御データ要求を受け取ると、タグ構造ＤＢ３３の情報から制御装置１にあることを判断し、対応するタグメモリ紐づけＤＢ３６のデータを用いて、制御装置１に監視制御データを要求する。
【００１８】
制御装置１の制御エンジン１４は、タグ制御エンジン２３からの監視制御データ要求とタグメモリ紐づけＤＢ３３の情報を元に、タグ制御エンジン２３から要求された監視制御データを、制御装置タグメモリ１５に対して入出力し、結果をタグ制御エンジン２３に返す。
図２の制御装置タグメモリ１５は、タグ構造を持たないため、タグを構成するデータ（監視制御データ）は、連続したメモリに配置されていない場合にも、タグ定義３４がタグメモリ紐づけＤＢ３６を生成する際に、制御装置タグメモリ１５の非連続のメモリ配置に対応して展開することができる。
【００１９】
実施の形態２によれば、タグ構造を持たないタグメモリに監視制御データを保持する制御装置に対して、制御装置タグメモリとタグＤＢとの紐づけ情報を保存したタグメモリ紐づけＤＢを生成することにより、制御装置にタグ構造を持たせることが可能となる。
このように、タグ構造を使用可能としたため、一括して監視制御データを設定でき、監視制御システムの構築を容易化することができる。
【００２０】
実施の形態３．
図３は、この発明の実施の形態３による監視制御システムを示す構成図である。
図３において、１〜３、１１〜１３、２１〜２５、３１、３３、３５は図１におけるものと同一のものである。図３では、エンジニアリング装置３のタグ構造定義３１により定義されるタグ構造３２１に、エンジニアリング装置３にもタグ構造の一部を持つことを定義できるようにした。タグ定義３４１にて、エンジニアリング装置３に持つタグ構造の要素の値を設定し、エンジニアリングタグメモリ３７を生成する。エンジニアリングタグメモリ３７は、エンジニアリングタグメモリ構造３８を持つ。
【００２１】
実施の形態１では、タグの構成要素を、制御装置１とＨＭＩ装置２のタグメモリ構造に分けて定義したが、実施の形態３では、図３に示すように、エンジニアリング装置３は、タグ構造定義３１にて、エンジニアリング装置３にもタグ構造の一部を持つことを定義できるようにするとともに、タグ定義３４１にて、エンジニアリング装置３に持つタグ要素の値を設定し、エンジニアリングタグメモリ３７を生成するようにした。
エンジニアリングタグメモリ３７は、エンジニアリングタグメモリ構造３８を持つ。
タグ構造３２１には、例えば、タグ構造Ｂとして、タグ構成要素ＭＶ／ＳＶ／ＰＶは制御装置１に属し、タグ構成要素ＡＬＭ／ＩＮＨは、ＨＭＩ装置２に属し、タグ構成要素ＵＮＩＴ／Ｎは、エンジニアリング装置３に属すると設定する。
エンジニアリングタグメモリ構造３８には、例えば、エンジニアリング装置３のデータとして、ＵＮＩＴに単位、Ｎに小数点桁を持つものとする。
【００２２】
ＨＭＩ装置２のタグ制御エンジン２３は、監視・制御ＨＭＩエンジン２１から監視制御データ要求を受け取ると、タグ構造ＤＢ３３の情報から、エンジニアリング装置３にあるデータについては、エンジニアリングタグメモリ３７に対して監視制御データを入出力し、監視・制御ＨＭＩエンジン２１に結果を返す。
エンジニアリング装置３のもつデータの設定は、タグ定義３４１で行うが、エンジニアリング装置３は、エンジニアリングをしない場合は稼働していない場合もあるため、エンジニアリングタグメモリ３７は、制御装置１またはＨＭＩ装置２の中に持たせることもできるものとする。
エンジニアリングタグメモリ３７を、制御装置１またはＨＭＩ装置２に持たせる場合は、エンジニアリング装置３でのみ編集可能とし、監視制御中は変更できないＲＯＭのような使用形態にすることが望ましい。
【００２３】
実施の形態３によれば、エンジニアリング装置でタグ構造中のデータの一部を持たせる設定を可能としている。
タグ構造の中には、エンジニアリング時に決定して、監視制御中には変更しないようなデータをエンジニアリング装置上で持たせるような設定が可能となり、タグ構造で設定できる機能を拡大することができ、監視制御システムの構築の構築や設定をさらに容易化することができる。
【００２４】
実施の形態４．
図４は、この発明の実施の形態４による監視制御システムを示す構成図である。
図４において、１〜３、１１〜１３、２１、２３〜２５、３１、３３〜３５は図１におけるものと同一のものである。図４では、監視制御システムにサーバ装置４を追加し、エンジニアリング装置３は、タグ構造定義３１にて、タグ構造上にサーバ装置４上でのタグデータの集計を定義できるタグ構造３２２を作成する。
サーバ装置４は、蓄積・集計エンジン４１と、サーバタグ構造４３（タグメモリ）を有する蓄積・集計ＤＢ４２を持つ。また、ＨＭＩ装置２は、監視・制御画面に蓄積・集計データの表示を追加した監視・制御・ヒストリカル画面２２１を持つている。
【００２５】
実施の形態１では、タグの構成要素を、制御装置１とＨＭＩ装置２のタグ構造に分けて定義したが、実施の形態４は、図４に示すように、監視制御システムにサーバ装置４を追加した。
エンジニアリング装置３は、タグ構造定義３１にて、タグ構造上でサーバ装置４上でのタグデータの集計を定義できるタグ構造３２２を作成する。
サーバ装置４は、蓄積・集計エンジン４１と、サーバタグ構造４３を有する蓄積・集計ＤＢ４２とをもち、ＨＭＩ装置２は、監視・制御画面に蓄積・集計データの表示を追加した監視・制御・ヒストリカル画面２２１を持つ。
タグ構造３２２には、例えば、タグ構造Ｃとして、タグ構成要素ＭＶ／ＳＶ／ＰＶは制御装置１に属し、タグ構成要素ＡＬＭ／ＩＮＨはＨＭＩ装置２に属し、タグ構成要素ＡＶＥ／ＳＵＭはサーバ装置４に属すると設定する。
【００２６】
サーバ装置４の蓄積・集計エンジン４１は、タグ構造ＤＢ３３とタグＤＢ３５の情報を元に、制御装置１から蓄積・集計対象のデータを蓄積・集計して、蓄積・集計ＤＢ４２の中のサーバタグ構造４３に保存する。サーバタグ構造４３は、例えば、ＡＶＥに平均値、ＳＵＭに合計値を持つものとする。
【００２７】
ＨＭＩ装置２の監視・制御ＨＭＩエンジン２１は、監視・制御・ヒストリカル画面２２１からの蓄積・集計データ要求をタグ制御エンジン２３に要求し、タグ制御エンジン２３は、蓄積・集計データであれば、サーバ装置４の蓄積・集計エンジン４１に要求する。
サーバ装置４の蓄積・集計エンジン４１は、タグ制御エンジン２３から要求された蓄積・集計データを蓄積・集計ＤＢ４２から取り出して、タグ制御エンジン２３に返すようになっている。
【００２８】
実施の形態４によれば、エンジニアリング装置のタグ構造定義のタグ構造にサーバ装置で蓄積・集計する構造の定義を追加することにより、蓄積・集計をタグ構造の構成要素ごとに定義可能として、自動的に蓄積・集計を行い、画面に表示することにより、監視制御システムの構築や設定をさらに容易化することができる。
【００２９】
実施の形態５．
図５は、この発明の実施の形態５による監視制御システムを示す構成図である。
図５において、１〜３、１１〜１３、２１〜２５、３１、３３〜３５は図１におけるものと同一のものである。図５では、監視制御システムに、ＨＭＩ装置２と同等の役割を持つ他ＨＭＩ装置５を設けた。
他ＨＭＩ装置５は、ＨＭＩ装置２と同じ機能を持つタグ制御エンジン５１と他ＨＭＩタグメモリ５２をもち、他ＨＭＩタグメモリ５２の中に他ＨＭＩタグメモリ構造５３を持つ。なお、他ＨＭＩ装置５は１台ではなく複数設置することも可能である。
エンジニアリング装置３のタグ構造定義３１にて、ＨＭＩ装置２で持つタグ構造にＨＭＩ装置単独か、ＨＭＩ装置共通かの区別を定義できるタグ構造３２３を定義可能とする。ＨＭＩ装置単独を定義した場合には、ＨＭＩ装置２が該当する。
【００３０】
実施の形態１では、タグの構成要素を、制御装置１とＨＭＩ装置２のタグ構造に分けて定義したが、実施の形態５は、図５に示すように、監視制御システムにＨＭＩ装置２と同等の役割を持つ他ＨＭＩ装置５を設けた。
エンジニアリング装置３のタグ構造定義３１にて、各ＨＭＩ装置で持つタグ構造が、ＨＭＩ装置単独かＨＭＩ装置共通かの区別を定義できるタグ構造３２３を定義可能とする。
タグ構造３２３には、例えば、タグ構造Ｄとして、タグ構成要素ＭＶ／ＳＶ／ＰＶは、制御装置１に属し、タグ構成要素ＡＬＭ／ＩＮＨは、ＨＭＩ装置単独でもち、タグ構成要素ＡＣＫは、ＨＭＩ装置共通で持つと設定する。
【００３１】
ＨＭＩ装置２のタグ制御エンジン２３は、タグ構造ＤＢ３３を参照して、ＨＭＩ装置２で持つタグ構造がＨＭＩ装置単独かＨＭＩ装置共通かを判定して、ＨＭＩ装置単独であれば、自マシンのＨＭＩタグメモリ２４内のＨＭＩタグメモリ構造２５を更新し、ＨＭＩ装置共通であれば、自マシンの更新に加えて、他ＨＭＩ装置５に更新要求を送る。
他ＨＭＩ装置５のタグ制御エンジン５１は、この更新要求を受けて、他ＨＭＩタグメモリ５２内の他ＨＭＩタグメモリ構造５３の値を更新する。
例えば、タグ構造３２３の構成要素ＡＣＫは、アラームの確認状態を保存するものとすると、アラームの発生状態は、ＨＭＩ装置単独でもち、アラームの確認状態はＨＭＩ装置共通で同値化するなどの設定が、このタグ構造により可能となる。
【００３２】
実施の形態５によれば、エンジニアリング装置のタグ構造定義に、ＨＭＩ装置で持つタグ構造が、ＨＭＩ装置単独かＨＭＩ装置共通化を定義できることにより、ＨＭＩ装置間でのデータを同値化するかしないかの持たせ方を、タグ構造の変更で変更することができるようになり、監視制御システムの構築や設定を容易化することができる。
【００３３】
なお、本発明は、その発明の範囲内において、各実施の形態を自由に組み合わせたり、各実施の形態を適宜、変形、省略することが可能である。
【符号の説明】
【００３４】
１  制御装置、２  ＨＭＩ装置、３  エンジニアリング装置、４  サーバ装置、
５  他ＨＭＩ装置、１１  制御エンジン、１２  制御装置タグメモリ、
１３  制御装置タグメモリ構造、１４  制御エンジン、１５  制御装置タグメモリ、
２１  監視・制御ＨＭＩエンジン、２２  監視・制御画面、２３  タグ制御エンジン、
２４  ＨＭＩタグメモリ、２５  ＨＭＩタグメモリ構造、３１  タグ構造定義、
３２  タグ構造、３３  タグ構造ＤＢ、３４  タグ定義、３５  タグＤＢ、
３６  タグメモリ紐づけＤＢ、３７  エンジニアリングタグメモリ、
３８  エンジニアリングタグメモリ構造、４１  蓄積・集計エンジン、
４２  蓄積・集計ＤＢ、４３  サーバタグ構造、５１  タグ制御エンジン、
５２  他ＨＭＩタグメモリ、５３  他ＨＭＩタグメモリ構造。
【図１】
2015165353.tif 000003
【図２】
2015165353.tif 000004
【図３】
2015165353.tif 000005
【図４】
2015165353.tif 000006
【図５】
2015165353.tif 000007